(57)【要約】【課題】  コンパクトな燃焼室でも安定して燃焼させ得る燃焼装置を提供する。【解決手段】  円筒状の燃焼筒１の先端側に、複数のガス噴出部３が燃焼筒周方向に分散する状態で設けられ、送風手段１３からの燃焼用空気が導入される有底円筒状の風箱Ｗが、その底壁８ｂとそれに対向する燃焼筒１の後端開口縁１Ｅとの間に空気導入用間隙１１を形成する状態で且つ燃焼筒１と同心状又は略同心状となる状態で、燃焼筒１の後端側部分を囲むように設けられ、複数のガス噴出部３から噴出されるガス燃料を、燃焼筒１内を通流して燃焼筒１の先端から吐出される燃焼用空気にて燃焼させるように構成された燃焼装置であって、風箱Ｗが、送風手段１３からの燃焼用空気が燃焼筒１の外周部を旋回する状態で導入されるように構成され、空気導入用間隙１１が、その空気導入用間隙１１を通して燃焼筒１内に導入される燃焼用空気導入量の周方向における差を小さくすべく、周方向において異なる広さの部分が存在するように形成されている。【選択図】        図２
2005273961.tif 000002
【特許請求の範囲】
【請求項１】
円筒状の燃焼筒の先端側に、複数のガス噴出部が燃焼筒周方向に分散する状態で設けられ、
送風手段からの燃焼用空気が導入される有底円筒状の風箱が、その底壁とそれに対向する前記燃焼筒の後端開口縁との間に空気導入用間隙を形成する状態で且つ前記燃焼筒と同心状又は略同心状となる状態で、前記燃焼筒の後端側部分を囲むように設けられ、
前記複数のガス噴出部から噴出されるガス燃料を、前記燃焼筒内を通流して前記燃焼筒の先端から吐出される燃焼用空気にて燃焼させるように構成された燃焼装置であって、
前記風箱が、前記送風手段からの燃焼用空気が前記燃焼筒の外周部を旋回する状態で導入されるように構成され、
前記空気導入用間隙が、その空気導入用間隙を通して前記燃焼筒内に導入される燃焼用空気導入量の周方向における差を小さくすべく、周方向において異なる広さの部分が存在するように形成されている燃焼装置。
【請求項２】
前記風箱における前記送風手段からの燃焼用空気を導入する導風路部が、その外周壁とそれに対向する前記燃焼筒との間の風路幅が前記送風手段の側に向かって漸次広くなる湾曲状部分を備える状態に構成され、
前記空気導入用間隙が、前記導風路部の前記湾曲状部分の外周壁と前記燃焼筒との間の風路幅が最も狭くなる位置において、最も狭くなる最狭部分が存在するように形成される請求項１記載の燃焼装置。
【請求項３】
前記空気導入用間隙の前記最狭部分が、前記導風路部の前記湾曲状部分の外周壁と前記燃焼筒との間の風路幅が最も狭くなる位置から燃焼用空気流動方向側の設定範囲にわたって存在するように形成されている請求項２記載の燃焼装置。
【請求項４】
前記燃焼筒内に、先端が閉塞されたガス供給筒が設けられ、
前記ガス噴出部としての筒状ガスノズルが、前記ガス供給筒の周壁にその周壁から突出する状態で設けられている請求項１〜３のいずれか１項に記載の燃焼装置。
【発明の詳細な説明】
【技術分野】
【０００１】
本発明は、円筒状の燃焼筒の先端側に、複数のガス噴出部が燃焼筒周方向に分散する状態で設けられ、
送風手段からの燃焼用空気が導入される有底円筒状の風箱が、その底壁とそれに対向する前記燃焼筒の後端開口縁との間に空気導入用間隙を形成する状態で且つ前記燃焼筒と同心状又は略同心状となる状態で、前記燃焼筒の後端側部分を囲むように設けられ、
前記複数のガス噴出部から噴出されるガス燃料を、前記燃焼筒内を通流して前記燃焼筒の先端から吐出される燃焼用空気にて燃焼させるように構成された燃焼装置に関する。
【背景技術】
【０００２】
かかる燃焼装置は、送風手段からの燃焼用空気が導入される有底円筒状の風箱を、その底壁とそれに対向する燃焼筒の後端開口縁との間に空気導入用間隙を形成する状態で且つ燃焼筒と同心状又は略同心状となる状態で、燃焼筒後端側の部分を囲むように設けて、送風手段から風箱に導入された燃焼用空気を空気導入用間隙を通して燃焼筒内に導入して、燃焼筒を通流させてその先端から吐出させるようにし、その燃焼筒の先端から吐出される燃焼用空気にて、燃焼筒周方向に分散する複数のガス噴出部から噴出されるガス燃料を燃焼させるようにしたものである。
つまり、複数のガス噴出部により燃焼筒周方向に分散した位置からガス燃料を噴出することにより、噴出ガス燃料流の周囲に負圧域（周囲よりも圧力が低い域）を形成して、噴出ガス燃料流に燃焼ガスを巻き込むようにして、ガス燃料を燃焼速度を遅くして緩慢燃焼させるようにして、火炎温度を低下させて低ＮＯｘ化を図るようになっている。
【０００３】
このような燃焼装置において、従来、空気導入用間隙を、その広さ（風箱の底壁と燃焼筒の後端開口縁との間隔）が燃焼筒周方向全周にわたって均等になるように形成していた。
つまり、燃焼筒周方向全周にわたってガス燃料を安定して燃焼させるという目的から、空気導入用間隙を通して燃焼筒内に導入される燃焼用空気導入量の周方向における差を小さくすべく、空気導入用間隙の広さを燃焼筒周方向全周にわたって均等にしていたのである（例えば、特許文献１参照。）。
【０００４】
【特許文献１】実開平２−６２２２３号公報（第１図）
【発明の開示】
【発明が解決しようとする課題】
【０００５】
ところで、このような燃焼装置では、燃焼状態の監視のため、火炎を検出する火炎検出器を設ける必要があり、その火炎検出器は、燃焼筒の後端側からその燃焼筒内を通して前方を見通すように風箱の底壁に設けて、火炎を検出することになる。
又、このような燃焼装置を設置する燃焼装置設置対象装置（例えば、ボイラや炉等）では、そのコンパクト化のために、燃焼室をコンパクト化するという要求があり、そのような要求に対応するには、コンパクトな燃焼室（特に、奥行を短くした燃焼室）内でも燃焼装置を安定燃焼させることが可能なようにする必要がある。
【０００６】
つまり、火炎を燃焼筒の前方で長い範囲にわたって形成すると、火炎がボイラの水管等の加熱対象物に接触して冷却されて燃焼が不安定になる虞があるので、コンパクトな燃焼室内にて安定燃焼させるには、燃焼筒前方の短い範囲で燃焼を完結させるようにする必要がある。
そして、燃焼筒前方の短い範囲で燃焼を完結させるようにするには、燃焼筒内に旋回羽根を設けて、その旋回羽根により燃焼用空気を燃焼筒内を旋回する状態で通流させて、燃焼用空気を燃焼筒の先端から旋回する状態で吐出させて、火炎を燃焼筒周方向一方側に傾くように形成して、燃焼筒前方の短い範囲で燃焼を完結させるようにすることが考えられる。
【０００７】
このように旋回羽根にて燃焼用空気を旋回させる場合、燃焼筒の軸芯に対する旋回羽根の羽根体の傾斜角度を大きくするほど燃焼用空気を旋回させる旋回角度（即ち、燃焼用空気の流動方向が燃焼筒周方向に傾く角度に定義する）を大きくすることが可能になるものの、羽根体の傾斜角度を大きくすると、燃焼筒の後方側から燃焼筒内を通して前方を見る場合、羽根体同士が重なりあって前方を見通せなくなる。
一方、火炎検出器は、燃焼筒の後端側からその燃焼筒内を通して前方を見通すように設けて火炎を検出する必要があるが、燃焼用空気の旋回角度を大きくすべく、燃焼筒内を通して前方を見て羽根体同士が重なり合う程度にまで羽根体の傾斜角度を大きくすると、火炎検知器にて火炎を検出することができなくなるので、羽根体の傾斜角度を大きくして燃焼用空気の旋回角度を大きくするにも限度がある。
【０００８】
従って、燃焼筒内に旋回羽根を設ける場合は、燃焼用空気の旋回角度を大きくするにも限度があり、火炎を燃焼筒周方向一方側に傾くように形成するにしても、その傾斜角度を十分に大きくすることができないので、燃焼室を十分にコンパクト化することができない。
【０００９】
本発明は、かかる実情に鑑みてなされたものであり、その目的は、コンパクトな燃焼室でも安定して燃焼させ得る燃焼装置を提供することにある。
【課題を解決するための手段】
【００１０】
本発明の燃焼装置は、円筒状の燃焼筒の先端側に、複数のガス噴出部が燃焼筒周方向に分散する状態で設けられ、
送風手段からの燃焼用空気が導入される有底円筒状の風箱が、その底壁とそれに対向する前記燃焼筒の後端開口縁との間に空気導入用間隙を形成する状態で且つ前記燃焼筒と同心状又は略同心状となる状態で、前記燃焼筒の後端側部分を囲むように設けられ、
前記複数のガス噴出部から噴出されるガス燃料を、前記燃焼筒内を通流して前記燃焼筒の先端から吐出される燃焼用空気にて燃焼させるように構成されたものであって、
第１特徴構成は、前記風箱が、前記送風手段からの燃焼用空気が前記燃焼筒の外周部を旋回する状態で導入されるように構成され、
前記空気導入用間隙が、その空気導入用間隙を通して前記燃焼筒内に導入される燃焼用空気導入量の周方向における差を小さくすべく、周方向において異なる広さの部分が存在するように形成されている点を特徴とする。
【００１１】
即ち、風箱により導入されて燃焼筒の外周部を旋回状態で通流する燃焼用空気は、燃焼用空気導入量の周方向における差を小さくすべく周方向において異なる広さの部分が存在するように形成されている空気導入用間隙を通じて、周方向での導入量のバラツキが小さくなる状態で燃焼筒内に導入され、そして、燃焼用空気は、燃焼筒内を旋回状態で通流して燃焼筒の先端から周方向での吐出量のバラツキが小さくなる状態で燃焼筒周方向一方側に傾く方向に吐出されるので、そのように吐出される燃焼用空気にて、複数のガス噴出部から噴出されるガス燃料は、火炎が燃焼筒周方向一方側に傾いて形成される状態で周方向全周にわたって安定して燃焼する。
【００１２】
つまり、燃焼用空気を風箱内にその接線方向又は略接線方向外方からその内周面に沿って旋回させるように導入して、燃焼用空気を空気導入用間隙を通して燃焼筒内に導入しつつ燃焼筒の外周部を旋回させることにより、燃焼用空気を十分に大きい旋回角度にて燃焼筒内を旋回する状態で筒先端側に通流させて、燃焼筒の先端から燃焼筒周方向一方側に十分に大きい傾斜角度で傾く方向に吐出させることが可能となるので、火炎を燃焼筒周方向一方側に十分に大きい傾斜角度にて傾けて形成することが可能となる。
そして、燃焼用空気をそのように燃焼筒の外周部を旋回させながら空気導入用間隙を通して燃焼筒内に導入させるにしても、空気導入用間隙は、燃焼用空気導入量の周方向における差を小さくすべく周方向において異なる広さの部分が存在するように形成して、空気導入用間隙を通して燃焼用空気を周方向での導入量のバラツキを小さくする状態で燃焼筒内に導入させるようにしてあるので、燃焼用空気を燃焼筒の先端から周方向での吐出量のバラツキを小さくする状態で燃焼筒周方向一方側に傾く方向に吐出させて、燃焼筒周方向に分散する複数のガス噴出部から噴出されるガス燃料を周方向全周にわたって安定して燃焼させることが可能になるのである。
【００１３】
つまり、燃焼用空気は、風箱の内周面と燃焼筒の外周面との間に導入されて、空気導入用間隙を通過して燃焼筒内に導入されつつ空気導入用間隙の周りを旋回することになり、空気導入用間隙において、その周囲を旋回する燃焼用空気の圧力が高い部分（換言すれば、流速が速い部分）は燃焼用空気が通過し易く、燃焼用空気の圧力の低い部分（換言すれば、流速が遅い部分）は燃焼用空気が通過し難い。そこで、周方向において、周囲を旋回する燃焼用空気の圧力が高い部分は狭くし、周囲を旋回する燃焼用空気の圧力が低い部分は広くする状態で、空気導入用間隙を周方向において異なる広さの部分が存在するように形成することにより、空気導入用間隙を通じての燃焼筒への燃焼用空気導入量の周方向でのバラツキを小さくすることが可能になるのである。
【００１４】
そして、そのように燃焼筒内を十分に大きい旋回角度にて旋回させる状態で通流させることができながらも、燃焼筒内には前述の如き旋回羽根を設置しないので、火炎検出器を風箱の底壁に設けて、燃焼筒内を通して前方を見通す形態で火炎を検出することができることは勿論である。
従って、火炎検出器による燃焼状態の監視を行うことができるという条件を満足しながら、火炎を十分に大きい傾斜角度にて形成して、燃焼筒前方での燃焼筒軸心方向に沿う方向の燃焼範囲を十分に短縮することが可能となり、燃焼筒前方の短い範囲で燃焼を完結させることが可能になるのである。
要するに、コンパクトな燃焼室でも安定して燃焼させ得る燃焼装置を提供することができるようになった。
【００１５】
第２特徴構成は、上記第１特徴構成に加えて、
前記風箱における前記送風手段からの燃焼用空気を導入する導風路部が、その外周壁とそれに対向する前記燃焼筒との間の風路幅が前記送風手段の側に向かって漸次広くなる湾曲状部分を備える状態に構成され、
前記空気導入用間隙が、前記導風路部の前記湾曲状部分の外周壁と前記燃焼筒との間の風路幅が最も狭くなる位置において、最も狭くなる最狭部分が存在するように形成される点を特徴とする。
【００１６】
即ち、燃焼用空気は、風箱の導風路部の湾曲状部分を徐々に圧力が高められつつ湾曲状に通流して、その風路幅が最も狭くなる位置に達して圧力が最高に高められた状態で、風箱の本体部の内周面と燃焼筒の外周面との間に流れ込んで、空気導入用間隙を通過して燃焼筒に導入されつつ空気導入用間隙の周りを旋回する。
そして、空気導入用間隙は、燃焼用空気がその圧力が最高に高められて流れ込む部分に最狭部分が存在するように形成されているので、その部分での燃焼用空気の通過が効果的に抑制される。
【００１７】
つまり、風箱の導風路部の湾曲状部分を通して燃焼用空気を徐々に圧力を高めつつ湾曲状に通流させて、風箱の本体部の内周面と燃焼筒の外周面との間に流れ込ませることにより、燃焼用空気の流速を効果的に速めて燃焼筒の外周部を旋回させることが可能になり、延いては、燃焼用空気を速い流速にて旋回する状態で燃焼筒内を通流させることが可能になるので、燃焼用空気が燃焼筒の先端から燃焼筒周方向一方側に傾く方向に沿って吐出されるときにその傾斜角度が小さくなるのを抑制することが可能となり、火炎を燃焼筒周方向一方側に一層大きい傾斜角度にて傾けて形成することが可能となる。
そして、そのように燃焼用空気を湾曲状に通流案内しつつ圧力を最高に高めて風箱の本体部に流れ込ませる部分に、空気導入用間隙の最狭部分を存在させるようにしてあるので、その部分での燃焼用空気の燃焼筒への導入を効果的に抑制することできて、燃焼筒への燃焼用空気導入量の周方向でのバラツキを一層小さくすることが可能になるのである。
従って、周方向全周にわたって安定燃焼させることが可能な状態を維持しながらも、形成火炎の燃焼筒周方向一方側への傾斜角度を一層大きくすることが可能になるので、一層コンパクトな燃焼室でも燃焼の安定化を図ることができるようになった。
【００１８】
第３特徴構成は、上記第２特徴構成に加えて、
前記空気導入用間隙の前記最狭部分が、前記導風路部の前記湾曲状部分の外周壁と前記燃焼筒との間の風路幅が最も狭くなる位置から燃焼用空気流動方向側の設定範囲にわたって存在するように形成されている点を特徴とする。
【００１９】
即ち、導風路部の湾曲状部分を通って圧力が最高に高められた状態で風箱の本体部の内周面と燃焼筒の外周面との間に流れ込んで、空気導入用間隙の周囲を旋回する燃焼用空気は、その流れ込んだ箇所から燃焼用空気流動方向側の設定範囲を旋回している間は、その設定範囲にわたって存在する空気導入用間隙の最狭部分によって燃焼筒への導入が抑制される。
【００２０】
つまり、空気導入用間隙を通して燃焼筒内に導入される燃焼用空気導入量の周方向における差を小さくすべく、周方向において異なる広さの部分が存在するように空気導入用間隙を形成する場合、空気導入用間隙の広さを、周囲を旋回する燃焼用空気の圧力が最高となる位置で最も狭くし、その位置から燃焼用空気流動方向側に向けて漸次広くする場合が考えられる。
しかしながら、燃焼量の比較的小さい燃焼装置で燃焼筒が比較的小径の場合に、上述のように、空気導入用間隙の広さを、周囲を旋回する燃焼用空気の圧力が最高となる位置で最も狭くし、その位置から燃焼用空気流動方向側に向けて漸次広くするようにすると、燃焼用空気が空気導入用間隙の広さの最も狭くなる位置を通過すると燃焼筒への導入量が急増して、燃焼筒への燃焼用空気導入量の周方向でのバラツキが大きくなる虞がある。
そこで、燃焼筒が比較的小径の場合に、この第３特徴構成のように、空気導入用間隙の最狭部分を、導風路部の湾曲状部分の外周壁と燃焼筒との間の風路幅が最も狭くなる位置、即ち、空気導入用間隙の周囲を旋回する燃焼用空気の圧力が最高になる位置から燃焼用空気流動方向側の設定範囲にわたって存在させるようにすると、空気導入用間隙を通じての燃焼筒への燃焼用空気導入量の周方向でのバラツキを小さくして、燃焼筒の先端からの燃焼用空気の吐出量の周方向でのバラツキを小さくすることが可能になるのである。
従って、特に燃焼量の小さい燃焼装置において、燃焼筒の先端からの燃焼用空気の吐出量の周方向でのバラツキを小さくして周方向全周にわたって安定燃焼させるようにする上で好適な手段を得ることができるようになった。
【００２１】
第４特徴構成は、上記第１〜第３特徴構成のいずれかに加えて、
前記燃焼筒内に、先端が閉塞されたガス供給筒が設けられ、
前記ガス噴出部としての筒状ガスノズルが、前記ガス供給筒の周壁にその周壁から突出する状態で設けられている点を特徴とする。
【００２２】
即ち、ガス供給筒の周壁から突出する状態でその周方向に分散されて設けられた複数の筒状ガスノズルの夫々から、ガス燃料が直進性を効果的に与えられた状態で噴出される。
つまり、筒状ガスノズルは、内径に対して軸芯方向での長さを長くすることが可能であるので、筒状ガスノズルにより、ガス燃料を、直進性を効果的に与えて拡散を抑制する状態で噴出することができる。
そして、直進性を効果的に与えて拡散を抑制する状態でガス燃料を噴出するようにすることにより、噴出ガス燃料流の周囲に負圧域を効果的に形成することができることができるので、噴出ガス燃料流への燃焼ガスの巻き込み作用を増大させて緩慢燃焼を促進させることができ、更に、火炎の分割状に形成する場合はその分割性を向上することが可能となり、火炎温度を一層低くすることが可能になるのである。
従って、緩慢燃焼の促進及び形成火炎の分割性の向上により、更なる低ＮＯｘ化を図ることができるようになった。
【発明を実施するための最良の形態】
【００２３】
〔第１実施形態〕
以下、本発明の第１実施形態を説明する。
図１ないし図３に示すように、燃焼装置は、円筒状の燃焼筒１の内部に、先端が閉塞された円筒状のガス供給筒２をその先端を燃焼筒１の先端よりも突出させた状態で同心状に設け、そのガス供給筒２の先端側の周壁に複数（本実施形態では８個）のガス噴出部としての筒状ガスノズル３をその周壁から突出する状態で周方向（燃焼筒周方向に相当する）に等間隔で分散させて設け、送風手段としての送風機１３からの燃焼用空気Ａが導入される有底円筒状の風箱Ｗを、その底壁８ｂとそれに対向する燃焼筒１の後端開口縁１Ｅとの間に空気導入用間隙１１を形成する状態で且つ燃焼筒１と同心状となる状態で、燃焼筒１の後端側部分を囲むように設け、複数の筒状ガスノズル３から噴出されるガス燃料Ｇを、燃焼筒１内を通流して燃焼筒１の先端から吐出される燃焼用空気Ａにて燃焼させるように構成してある。
【００２４】
以下、燃焼装置の各部について説明を加える。
前記ガス供給筒２の後端に、都市ガス等のガス燃料Ｇが導入されるガス燃料供給路１７を接続して、８本の筒状ガスノズル３からガス燃料Ｇを噴出するように構成してある。
前記各筒状ガスノズル３は、筒軸心がガス供給筒２の径方向に沿う姿勢で、ガス供給筒２の周壁に設けてあり、各筒状ガスノズル３からは、ガス燃料Ｇがガス供給筒２の径方向に沿う方向に噴出される。
ちなみに、筒状ガスノズル３としては、長さの異なる２種類のものがあり、８本の筒状ガスノズル３は、長さの短いものと長いものが交互になる状態でガス供給筒２に周方向に並べて設けてある。
【００２５】
前記燃焼筒１と前記ガス供給筒２との間に、環状に形成したバッフル板４を、燃焼筒１の先端よりも後退させた位置に、その内周縁をガス供給筒２に外嵌し且つその外周縁を燃焼筒１に内嵌する状態で設け、そのバッフル板４により、燃焼筒１内を流れる燃焼用空気Ａを筒先端側に吐出する複数（本実施形態では筒状ガスノズル３と同数の８個）の空気吐出口５を、等間隔を隔てて燃焼筒周方向に並ぶ状態で形成してある。
【００２６】
このバッフル板４について説明を加えると、図６に示すように、バッフル板４の外周側に、バッフル板４の周方向に沿う長さが夫々同一で径方向の切り欠き深さが深い８個の吐出口用切り欠き４ａを周方向に等間隔で形成し、吐出口用切り欠き４ａ同士の間に形成される突部４ｂ夫々の外周縁における周方向の中央には、径方向外方に突出する外周側突部４ｃを形成してある。
【００２７】
バッフル板４の内周側には、バッフル板４の周方向に沿う長さが夫々同一で径方向の切り欠き深さが浅い８個の保炎用スリット用切り欠き４ｄを周方向に吐出口用切り欠き４ａと同位相で形成してある。そして、８個の保炎用スリット用切り欠き４ｄを形成することにより、バッフル板４の内周縁に、径方向内方側に突出する８個の内周側突部４ｅが前記８個の外周側突部４ｃと周方向に同位相で形成される。
【００２８】
そして、図６及び図７に示すように、バッフル板４を、８個の外周側突部４ｃを燃焼筒１の内周面に当接させ且つ８個の内周側突部４ｅをガス供給筒２の外周面に当接させた状態で、燃焼筒１とガス供給筒２との間に設ける。そして、８個の吐出口用切り欠き４ａにより、燃焼筒１を流れる燃焼用空気Ａを吐出する前記８個の空気吐出口５を燃焼筒径方向において燃焼筒１の側に偏って位置する状態で形成し、８個の外周側突部４ｃにより、各空気吐出口５における燃焼筒径方向外方端の周方向の両端から周方向に沿って延びて、燃焼筒１を流れる燃焼用空気Ａを吐出する外周側保炎用スリット６を形成し、８個の保炎用スリット用切り欠き４ｄにより、燃焼筒１を流れる燃焼用空気Ａを吐出し且つ燃焼筒１の周方向に長い８個の内周側保炎用スリット７を、燃焼筒径方向においてガス供給筒２の側に偏って位置する状態で燃焼筒周方向の全周にわたって分散させて形成する。
【００２９】
ちなみに、外周側突部４ｃ及び内周側突部４ｅ夫々は、燃焼筒径方向に例えば０．５ｍｍ程度突起させて、外周側保炎用スリット６及び内周側保炎用スリット７夫々の幅（燃焼筒径方向に沿う方向での幅）を０．５ｍｍに設定してある。
【００３０】
又、図２に示すように、バッフル板４には、パイロットバーナ取り付け孔及び点火プラグ取り付け孔（図示省略）を形成して、パイロットバーナ１４を前記パイロットバーナ取り付け孔に挿通した状態でビス（図示省略）にてバッフル板４に固定し、点火プラグ１５を、前記点火プラグ取り付け孔に挿通した状態で、パイロットバーナ１４に支持させた点火プラグ取り付け具（図示省略）を用いて取り付けてある。
【００３１】
図１ないし図３に示すように、前記風箱Ｗは、円筒状の風箱本体部８と、送風機１３からの燃焼用空気Ａを導入する導風路部９とを備えて、その導風路部９を通して燃焼用空気Ａを燃焼筒１の外周部を旋回する状態で導入するように構成してある。
そして、風箱Ｗにより導入されて燃焼筒１の外周部を旋回状態で通流する燃焼用空気Ａは、前記空気導入用間隙１１を通じて燃焼筒１内に導入され、その導入された燃焼用空気Ａは、燃焼筒１とガス供給筒２との間をガス供給筒２の外周部を旋回する状態で筒先端側に通流して、燃焼筒周方向に分散する８個の空気吐出口５の夫々から燃焼筒周方向一方側に傾く方向に沿って吐出される。つまり、前記送風機１３と前記風箱Ｗとにより、前記燃焼筒１と前記ガス供給筒２との間を通流させる燃焼用空気Ａをガス供給筒２の外周部を旋回させる状態で通流させる旋回式の通風手段Ｆを構成してある。
【００３２】
図１及び図８に示すように、前記８本の筒状ガスノズル３は、燃焼筒１とガス供給筒２との間を旋回状態で通流して燃焼筒周方向に分散する８個の空気吐出口５の夫々から燃焼筒周方向一方側に傾く方向に沿って吐出される複数の燃焼用空気Ａの流動域に対して、それらの隣接するもの同士の間の夫々にガス燃料Ｇを噴出するように設けてある。
【００３３】
説明を加えると、８本の筒状ガスノズル３は、燃焼筒軸芯方向視にて、周方向に隣接する空気吐出口５の間の夫々における周方向の中央よりも燃焼用空気Ａの旋回方向側に偏った位置に１本ずつ位置するように設けてある。
各筒状ガスノズル３を、前記燃焼筒軸心方向視にて、周方向に隣接する空気吐出口５の間における周方向の中央よりも燃焼用空気Ａの旋回方向側に偏った位置に位置するように設けるに当たって、その周方向の中央からの偏り度合いの設定の仕方について説明する。
【００３４】
即ち、後述するように、燃焼用空気Ａはガス供給筒２の外周部を旋回する状態で通流して、８個の空気吐出口５の夫々から燃焼筒周方向一方側に傾く方向に沿って吐出されることになる。
そして、各筒状ガスノズル３は、燃焼筒周方向に隣接する空気吐出口５から燃焼筒周方向一方側に傾く方向に沿って吐出される２つの燃焼用空気Ａの流動域同士の間を通るようにガス燃料Ｇを噴出すべく、ガス供給筒２の軸心方向視にて、周方向に隣接する空気吐出口５の間における周方向の中央よりも燃焼用空気Ａの旋回方向側に偏った位置に筒状ガスノズル３の筒軸心が位置するように設けることになる。
【００３５】
つまり、筒状ガスノズル３の設置位置の前記偏り度合いは、空気吐出口５から燃焼筒周方向一方側に傾く方向に沿って吐出される燃焼用空気Ａの傾斜角度、及び、燃焼筒軸心方向に沿う方向での空気吐出口５と筒状ガスノズル３との間隔により決まることになる。
この実施形態においては、筒状ガスノズル３の設置位置の前記偏り度合いは、周方向に隣接する空気吐出口５の中央から燃焼用空気旋回方向側への中心角で５°に設定してある。
【００３６】
図１ないし図３に示すように、前記風箱Ｍの風箱本体部８は、円筒状の側周壁８ｓの両端を夫々平板状の上壁８ｆ及び底壁８ｂにて閉じる円筒状の箱に形成し、その底壁８ｂに、ガス供給筒２を内嵌させるための円形のガス供給筒挿通用開口を形成し、上壁８ｆに燃焼筒１を内嵌させるために円形の燃焼筒挿通用開口を形成し、側周壁８ｓに導風路部９を連通させるための矩形状の導風路接続用開口を形成してある。
【００３７】
前記導風路部９は、その燃焼用空気Ａの通流方向に直交する横断面形状が矩形状になるように形成し、送風機１３側の直線状部分９Ａと、その直線状部分９Ａの先端側に連なる湾曲状部分９Ｂとを備えるように構成してある。
【００３８】
つまり、図３に示すように、燃焼筒軸芯方向視において、導風路部９における燃焼筒径方向に並ぶ２枚の側周壁９ｆ、９ｂのうちガス供給筒２に近い方は、平板状側周壁９ｆにて構成し、ガス供給筒２から遠い方は、平板状側周壁９ｆに対向する部分が平板状で、その平板状側周壁９ｆの先端よりも先に延びる部分は燃焼筒軸心方向視にてガス供給筒２の側に半円状に湾曲する湾曲板状となる湾曲状側周壁９ｂにて構成してある。
【００３９】
そして、前記導風路部９を、風箱本体部８の導風路接続用開口に対して、燃焼筒軸心方向視において、湾曲状側周壁９ｂの先端が風箱本体部８の側周壁８ｓにその接線方向に連なり且つ平板状側周壁９ｆの先端側部分が前記導風路接続用開口内に突出する状態で接続してある。
導風路部９の直線状部分９Ａの基端開口部に、その内部に燃焼用空気を吐出するように前記送風機１３を接続してある。
【００４０】
つまり、平板状側周壁９ｆと湾曲状側周壁９ｂのうちの平板状側周壁９ｆと対向する平板状部分とを用いて、前記導風路部９の直線状部分９Ａが構成され、湾曲状側周壁９ｂのうち直線状部分９Ａを構成する部分の先端側の湾曲板状部分と燃焼筒１とを用いて前記導風路部９の湾曲状部分９Ｂが構成されることになる。
そして、直線状部分９Ａとその先に連なる湾曲状部分９Ｂを通して送風機１３からの燃焼用空気Ａを風箱Ｗ内に導入することにより、燃焼用空気Ａを湾曲状部分９Ｂの基端付近を基端として燃焼筒１の外周部を旋回状態で通流させるように構成してある。
【００４１】
平板状側周壁９ｆにおいて前記導風路接続用開口内へ突出する突出部分は、舌部１２として機能し、その舌部１２により、燃焼筒１の外周部に沿う燃焼用空気Ａの旋回経路における終端がその基端に連なる部分の流路幅を絞って、前記導風路部９の直線状部分９Ａを通流してきた燃焼用空気Ａが短絡的に旋回経路の終端側に流れ込んだり、燃焼筒１の外周部を旋回する燃焼用空気Ａがその終端から基端に流れ込むのを抑制するようにしてある。
【００４２】
要するに、導風路部９の湾曲状部分９Ｂは、その湾曲状部分９Ｂの湾曲状側周壁９ｂとそれに対向する燃焼筒１との間の風路幅が送風機１３の側に向かって漸次広くなる状態で、直線状部分９Ａに連なるように構成してある。
【００４３】
そして、図１ないし図３に示すように、上述のように構成した風箱Ｗを、その底壁８ｂと燃焼筒１の後端開口縁１Ｅとの間に所定の空気導入用間隙１１を形成する状態で、その前壁８ｆの燃焼筒挿通用開口に燃焼筒１の後端側を挿通すると共に、底壁８ｂのガス供給筒挿通用開口にガス供給筒２の後端側を挿通して、燃焼筒１の後端側の部分を囲むように燃焼筒１と同心状に設けてある。
更に、図２に示すように、風箱Ｗの底壁８ｂには、燃焼筒１内及び特定の１個の空気吐出口５を通して前方の見通すことができる位置に位置させて、火炎検出器１６を設けてある。
【００４４】
図２ないし図５に基づいて、前記空気導入用間隙１１について説明を加える。尚、図４の（イ）は、燃焼筒１の後面図、（ロ）は、燃焼筒１の後端側部分における縦断左側面図、（ハ）は、燃焼筒１の後端側部分における縦断右側面図である。
前記空気導入用間隙１１は、その空気導入用間隙１１を通して燃焼筒２内に導入される燃焼用空気導入量の周方向における差を小さくすべく、周方向において異なる広さの部分が存在するように形成してある。
そして、この第１実施形態においては、空気導入用間隙１１は、導風路部９の湾曲状部分９Ｂの湾曲状側周壁９ｂと燃焼筒１との間の風路幅が最も狭くなる位置Ｐから燃焼用空気流動方向側の設定範囲にわたって、最も狭くなる最狭部分１１ｖが存在するように形成してある。
前記設定範囲としては、この第１実施形態では、中心角で９０°の範囲に設定してある。
【００４５】
空気導入用間隙１１の形成方法について、説明を加える。
図４及び図５に示すように、前記燃焼筒１の後端縁１Ｅは、周方向において中心角で９０°に相当する部分は、燃焼筒１の軸心に直交する状態の直交状開口縁部分１ｖとなり、その直交状開口縁部分１ｖ以外の部分は、燃焼筒１の径方向視において、直交状開口縁部分１ｖから遠ざかるほど燃焼筒１の軸心方向先端側に位置する傾斜状開口端縁部分１ｓとなるように構成してある。
【００４６】
そして、図２ないし図５に示すように、同心状に設ける燃焼筒１と風箱本体部８との周方向における相対位置関係としては、燃焼筒軸心方向視において、燃焼筒１の後端開口縁Ｅの直交状開口縁部分１ｖが、湾曲状側周壁９ｂの先端が風箱本体部８の側周壁８ｓにその接線方向に連なる位置と周方向において同位相となる位置から燃焼用空気Ａの流動方向側に位置する相対位置関係としてある。
【００４７】
上述の如き周方向での相対位置関係にて、燃焼筒１と風箱本体部８とを同心状に設けることにより、風箱本体部８の底壁８ｂと燃焼筒１の後端開口縁１Ｅとの間に、空気導入用間隙１１を、湾曲状部分９Ｂの湾曲状側周壁９ｂと燃焼筒１との間の風路幅が最も狭くなる位置Ｐから燃焼用空気流動方向側の設定範囲にわたって最狭部分１１ｖが存在し、且つ、燃焼筒１の外周部の燃焼用空気Ａの旋回経路の略基端部分から燃焼用空気流動方向側へ最狭部分１１ｖに至るまでの範囲に、燃焼用空気流動方向側に漸次狭くなる広さ漸減部分１１ｎが存在し、且つ、最狭部分１１ｖから燃焼用空気流動方向側へ旋回経路の略終端に至るまでの範囲には、燃焼用空気流動方向側に漸次広くなる広さ漸増部分１１ｓが存在するように形成してある。ちなみに、広さ漸減部分１１ｎの始まり位置と広さ漸増部分１１ｓの終わり位置は同一の位置で、最狭部分１１ｖにおける周方向中央の位置に対して周方向に位相が１８０°ずれた位置であり、その位置が空気導入用間隙１１の最も広い最広部分１１ｗとなる。
つまり、風箱本体部８の底壁８ｂと燃焼筒１の後端開口縁１Ｅの直交状開口縁部分１ｖとにより空気導入用間隙１１の最狭部分１１ｖが形成され、風箱本体部８の底壁８ｂと燃焼筒１の後端開口縁１Ｅの傾斜状開口端縁部分１ｓとにより、空気導入用間隙１１の広さ漸減部分１１ｎ及び広さ漸増部分１１ｓが形成される。
【００４８】
この実施形態の燃焼装置は、比較的燃焼量が小さいものであり、燃焼筒１の外径は例えば２１６．３ｍｍφと比較的小径である。
そして、空気導入用間隙１１の最狭部分１１ｖの広さは例えば５ｍｍに、空気導入用間隙１１の最広い部分１１ｗの広さは例えば１６ｍｍに設定してある。
【００４９】
次に、図１ないし図３及び図７に基づいて、上述のように構成した燃焼装置による燃焼形態について説明する。
送風機１３から吐出された燃焼用空気Ａは、風箱Ｗの導風路部９を通じて、径方向外方側から風箱本体部８内に導入され、風箱本体部８内をその内周面の案内により燃焼筒１の外周部を旋回する状態で通流し、そのように燃焼筒１の外周部を旋回状態で通流する燃焼用空気Ａは、空気導入用間隙１１を通じて燃焼筒１内に導入され、そして、燃焼用空気Ａは、燃焼筒１とガス供給筒２との間をガス供給筒２の外周部を旋回する状態で通流して複数の空気吐出口５の夫々から燃焼筒周方向一方側に傾く方向に吐出され、そのように吐出される燃焼用空気Ａにて、複数の筒状ガスノズル３から噴出されるガス燃料はが、主炎Ｈｍが燃焼筒周方向一方側に傾いて分割状に形成される状態で燃焼する。
【００５０】
以下、この燃焼装置による燃焼形態について更に説明を加える。
先ず、空気導入用間隙１１を通じての燃焼筒１への燃焼用空気導入量の周方向でのバラツキを小さくして周方向全周にわたって安定して燃焼させることができる点について、説明する。
導風路部９の直線状部分９Ａを通流してきた燃焼用空気Ａは、湾曲状側周壁９ｂと燃焼筒１とを用いて形成される湾曲状部分９Ｂを圧力が徐々に高められつつ湾曲状に通流して、その風路幅が最も狭くなる位置Ｐに達して圧力が最高に高められた状態で、風箱本体部８の内周面と燃焼筒１の外周面との間に流れ込んで、空気導入用間隙１１を通過して燃焼筒１内に導入されつつ空気導入用間隙１１の周りを旋回する。
【００５１】
そして、燃焼用空気Ａが湾曲状部分９Ｂを圧力が徐々に高められつつ湾曲状に通流して、圧力が最高に高められる湾曲状部分９Ｂの風路幅が最も狭くなる位置Ｐまで通流する旋回経路部分に対応する空気導入用間隙１１は、燃焼用空気流動方向側に漸次広さが狭くなる広さ漸減部分１１ｎであるので、燃焼用空気Ａがその旋回経路部分を旋回している間は、圧力が高くなる通流方向先方ほど空気導入用間隙１１の通過が抑制されることになるので、燃焼用空気導入量の周方向でのバラツキが抑制される。
又、湾曲状部分９Ｂの風路幅が最も狭くなる位置Ｐ、即ち、燃焼用空気Ａの圧力が最高に高められる位置から中心角で９０°の範囲の旋回経路部分に対応する空気導入用間隙１１は、広さが最も狭い最狭部分１１ｖであり、更にその先旋回経路の略終端部分に至るまでの旋回経路部分に対応する部分は、燃焼用空気流動方向に漸次広さが広くなる広さ漸増部分１１ｓであるので、燃焼用空気Ａの圧力が高い範囲では、最狭部分１１ｖにより空気導入用間隙１１の通過が抑制され、更にその先圧力が低下しながら旋回する範囲では、圧力が低下するほど空気導入用間隙１１が広くなって燃焼用空気Ａが通過し易くなるので、燃焼用空気導入量の周方向でのバラツキが抑制される。
【００５２】
つまり、この第１実施形態の燃焼装置の燃焼筒１は比較的小径であることから、空気導入用間隙１１の最狭部分１１ｖを、導風路部９の湾曲状部分９Ｂの湾曲状側周壁９ｂと燃焼筒１との間の風路幅が最も狭くなる位置、即ち、空気導入用間隙１１の周囲を旋回する燃焼用空気Ａの圧力が最高になる位置から燃焼用空気流動方向側の設定範囲にわたって存在させるようにして、燃焼用空気Ａの圧力が高い状態に維持される旋回経路部分において、燃焼用空気導入量が多くなり過ぎるのを防止して、燃焼用空気導入量の周方向でのバラツキを一層抑制しているのである。
【００５３】
つまり、空気導入用間隙１１の全周にわたって、燃焼用空気導入量の周方向でのバラツキが抑制されるので、燃焼用空気Ａは、燃焼筒１とガス供給筒２との間をガス供給筒２の外周部を旋回する状態で通流して、複数の空気吐出口５の夫々から、周方向での吐出量のバラツキが小さくなる状態で、燃焼筒周方向一方側に傾く方向に沿って吐出されることになり、そのように吐出される燃焼用空気Ａにて、複数の筒状ガスノズル３から噴出されるガス燃料Ｇは、主炎Ｈｍが燃焼筒周方向一方側に傾いて分割状に形成される状態で周方向全周にわたって安定して燃焼する。
【００５４】
次に、ガス燃料の緩慢燃焼の促進及び主炎Ｈｍの分割性の向上により低ＮＯｘ化を図ることができる点について説明する。
各筒状ガスノズル３から、燃焼筒周方向に隣接する空気吐出口５から燃焼筒周方向一方側に傾く方向に沿って吐出される２つの燃焼用空気Ａの流動域同士の間を通るようにガス燃料Ｇが噴出されるので、各筒状ガスノズル３から噴出されるガス燃料Ｇと各空気吐出口５から吐出される燃焼用空気Ａとの急激な混合を抑制して、ガス燃料Ｇと燃焼用空気Ａとをゆっくりと混合させることができて、ガス燃料Ｇの緩慢燃焼を促進させることができる。
又、各筒状ガスノズル３により、直進性を効果的に与えて拡散を抑制する状態でガス燃料Ｇを噴出するので、火炎の拡がりを抑制して主炎Ｈｍの分割性を向上させることができる。
従って、緩慢燃焼の促進と主炎Ｈｍの分割性の向上との相乗作用により、火炎温度を低下させて更なる低ＮＯｘ化を図ることができる。
【００５５】
次に、緩慢燃焼を促進させながらも、保炎作用の強化により安定燃焼性を向上させることができる点について、説明する。
間隔を隔てて周方向に並ぶ複数の空気吐出口５から燃焼用空気Ａが燃焼筒先端側に吐出されることに伴って、バッフル板４の前方空間における燃焼用空気流の周囲に負圧域が形成され、その負圧域の誘引作用により、複数の筒状ガスノズル３から噴出されたガス燃料Ｇの一部がバッフル板４の側に誘引され、そのようにバッフル板４の側に誘引されるガス燃料Ｇにより、燃焼がバッフル板４の近傍から開始するので、複数の筒状ガスノズル３から噴出されるガス燃料Ｇは、バッフル板４にて保炎される状態で燃焼することになる。
【００５６】
そして、そのようにバッフル板４にて保炎する状態で燃焼させる燃焼形態において、バッフル板４の内周縁に沿って、保炎用の燃焼用空気Ａを吐出する複数の内周側保炎用スリット７を燃焼筒周方向の全周にわたって分散させて設けて、それら複数の内周側保炎用スリット７から吐出される燃焼用空気Ａにて、バッフル板４の側に誘引されてくるガス燃料Ｇを燃焼させることにより、燃焼筒周方向の略全周にわたってバッフル板４にへばりつく状態で保炎Ｈｓを形成して、バッフル板４による保炎範囲を燃焼筒径方向においても広くするようにしてある。
従って、複数の筒状ガスノズル３から噴出されるガス燃料Ｇをバッフル板４にて保炎する状態で燃焼させる燃焼形態において、そのバッフル板４による保炎範囲を広くすることができるので、安定燃焼性を向上させることができるようになった。
【００５７】
〔第２実施形態〕
以下、本発明の第２実施形態を説明するが、この第２実施形態においては、空気導入用間隙１１が異なる以外は第１実施形態と同様に構成してあるので、第１実施形態と同じ構成要素や同じ作用を有する構成要素については、重複説明を避けるために、同じ符号を付すことにより説明を省略し、主として、第１実施形態と異なる空気導入用間隙１１について説明する。
尚、この第２実施形態の燃焼装置は、上記の第１実施形態の燃焼装置よりも燃焼量が大きくて、燃焼筒１の外径が第１実施形態の燃焼筒１よりも大径であり、その燃焼筒１の外径は、例えば２６７．４ｍｍφである。
【００５８】
図９ないし図１１に基づいて、空気導入用間隙１１について説明を加える。尚、図１０の（イ）は、燃焼筒１の後面図、（ロ）は、燃焼筒１の後端側部分における縦断左側面図、（ハ）は、燃焼筒１の後端側部分における縦断右側面図である。
この第２実施形態においては、空気導入用間隙１１を、導風路部９の湾曲状部分９Ｂの湾曲状側周壁９ｂと燃焼筒１との間の風路幅が最も狭くなる位置Ｐに最も狭くなる最狭部分１１ｖが存在するように形成してある。
【００５９】
以下、空気導入用間隙１１の形成方法について、説明を加える。
前記燃焼筒１の後端を、その軸心に直交する方向視にて、径方向の一端から他端にわたる径方向の全長にわたって、径方向の一端から他端側に離れるほど燃焼筒１の軸心方向先端側に位置する傾斜状に形成してある。
【００６０】
そして、図９ないし図１１に示すように、同心状に設ける燃焼筒１と風箱本体部８との周方向における相対位置関係としては、燃焼筒軸心方向視において、燃焼筒１の傾斜状の後端の頂部が、湾曲状側周壁９ｂの先端が風箱本体部８の側周壁８ｓにその接線方向に連なる位置と周方向において同位相となる位置に位置する相対位置関係としてある。
【００６１】
上述の如き周方向での相対位置関係にて、燃焼筒１と風箱本体部８とを同心状に設けることにより、風箱本体部８の底壁８ｂと燃焼筒１の後端開口縁１Ｅとの間に、空気導入用間隙１１を、導風路部９の湾曲状部分９Ｂの湾曲状側周壁９ｂと燃焼筒１との間の風路幅が最も狭くなる位置Ｐに最狭部分１１ｖが存在し、且つ、その最狭部分１１ｖよりも燃焼用空気流動方向とは反対側には、燃焼用空気流動方向側に漸次狭くなる広さ漸減部分１１ｎが存在し、且つ、最狭部分１１ｖよりも燃焼用空気流動方向側には、燃焼用空気流動方向側に漸次広くなる広さ漸増部分１１ｓが存在するように形成してある。ちなみに、広さ漸減部分１１ｎの始まり位置と広さ漸増部分１１ｓの終わり位置は同一の位置で、最狭部分１１ｖに対して周方向に１８０°位相がずれた位置であり、その位置が空気導入用間隙１１の最も広い最広部分１１ｗとなる。
【００６２】
この第２実施形態では、空気導入用間隙１１の最狭部分１１ｖの広さは例えば１４ｍｍに、空気導入用間隙１１の最広部分１１ｗの広さは例えば２３．３ｍｍに設定してある。
【００６３】
〔別実施形態〕
次に別実施形態を説明する。
（イ）  上記の各実施形態においては、風箱Ｗの導風路部９として、直線状部分９Ａと、その直線状部分９Ａの先端側に連なる湾曲状部分９Ｂとを備えて構成する場合について例示したが、前記湾曲状部分９Ｂを備えない直線状に構成して、その直線状の導風路部９を円筒状の風箱本体部８に接線方向に接続するようにしても良い。
【００６４】
（ロ）  空気導入用間隙１１を通して燃焼筒１内に導入される燃焼用空気導入量の周方向における差を小さくするために、空気導入用間隙１１を周方向において異なる広さの部分が存在するように形成するに当たって、広さの異なる部分を存在させるための形態は、上記の各実施形態に例示した如き燃焼筒１の後端を傾斜状にする形態に限定されるものではない。
例えば、燃焼筒１の後端を、その軸心に直交する方向視にて、燃焼筒軸心方向での位置が異なる複数の段部が存在する段状に形成して、各段部により、風箱Ｗの底壁８ｂと燃焼筒１の後端開口縁１Ｅとの間隔を異ならせることにより、空気導入用間隙１１に広さの異なる部分を存在させるようにしても良い。
【００６５】
（ハ）  上記の各実施形態においては、複数の筒状ガスノズル３が周方向に並ぶノズル列を燃焼筒軸芯方向に１列に設ける場合について例示したが、そのようなノズル列を燃焼筒軸芯方向に複数列に設けても良い。
【００６６】
（ニ）  筒状ガスノズル３によるガス燃料Ｇの噴出方向は、上記の各実施形態の如きガス供給筒２の径方向に沿う方向に限定されるものではない。
例えば、ガス供給筒２の径方向に対してガス供給筒２の周方向に傾斜させたり、ガス供給筒２の径方向に対してガス供給筒２の軸心方向に傾斜させたり、ガス供給筒２の径方向に対してガス供給筒２の周方向及び軸心方向の両方向に傾斜させても良い。
【００６７】
（ホ）  ガス噴出部としては、上記の各実施形態の如き筒状ガスノズル３に代えて、前記ガス供給筒２の周壁に穿設するガス噴出孔にて構成しても良い。
【００６８】
（へ）  上記の各実施形態において、バッフル板４を省略することができる。
【００６９】
（ト）  燃焼筒軸芯方向視での複数のガス噴出部と複数の空気吐出口５との間の配置関係は、上記の各実施形態の如きガス噴出部が周方向に隣接する空気吐出口５同士の間における周方向の中央よりも燃焼用空気Ａの旋回方向側に偏った位置に位置する配置形態に限定されるものではない。
例えば、ガス噴出部が周方向に隣接する空気吐出口５同士の間の中央に位置する配置形態や、ガス噴出部と空気吐出口５とが周方向において同位置に位置する配置形態でも良い。
又、周方向に並ぶガス噴出部同士の間隔、及び、周方向に並ぶ空気吐出口５同士の間隔は等間隔で無くても良い。
【００７０】
（チ）  上記の各実施形態においては、燃焼筒軸心方向視にて、燃焼筒周方向に隣接する空気吐出口５同士の間の全てに対して、ガス噴出部を位置させる場合について例示したが、燃焼筒周方向に隣接する空気吐出口５同士の間の一部に対して、ガス噴出部を位置させるようにしても良いし、あるいは、燃焼筒周方向に隣接する空気吐出口５同士の間の夫々に対して、複数のガス噴出部を位置させるようにしても良い。
【００７１】
（リ）  燃焼筒１の先端側に、複数のガス噴出部を燃焼筒周方向に分散する状態で設けるための具体構成は上記の各実施形態において例示した構成に限定されるものではない。
例えば、上記の各実施形態において設けたガス供給筒２を省略して、内部にガス燃料が供給される円盤箱状のガスヘッダを燃焼筒１の先端側に同心状に設け、そのガスヘッダの側周壁に、複数のガス噴出部として、複数の筒状ガスノズルを前記側周壁から突出する状態で周方向に分散させて設けたり、複数のガス噴出孔を前記側周壁に周方向に分散させて穿設しても良い。
【図面の簡単な説明】
【００７２】
【図１】第１及び第２実施形態に係る燃焼装置の正面図
【図２】第１実施形態に係る燃焼装置における図１のイ−イ矢視図
【図３】第１実施形態に係る燃焼装置における図２のロ−ロ矢視図
【図４】第１実施形態に係る燃焼装置の空気導入用間隙を説明する燃焼筒後端側部分の図
【図５】第１実施形態に係る燃焼装置の空気導入用間隙を説明する燃焼筒後端側部分の斜視図
【図６】第１及び第２実施形態に係る燃焼装置の要部の縦断正面図
【図７】第１及び第２実施形態に係る燃焼装置の要部の縦断側面図
【図８】第１及び第２実施形態に係る燃焼装置の空気吐出口と筒状ガスノズルの位置関係を説明する要部の展開図
【図９】第２実施形態に係る燃焼装置における図１のイ−イ矢視図
【図１０】第２実施形態に係る燃焼装置の空気導入用間隙を説明する燃焼筒後端側部分の図
【図１１】第２実施形態に係る燃焼装置の空気導入用間隙を説明する燃焼筒後端側部分の斜視図
【符号の説明】
【００７３】
１      燃焼筒
１Ｅ    後端開口縁
２      ガス供給筒
３      ガス噴出部、筒状ガスノズル
８ｂ    風箱の底壁
９      導風路部
９Ｂ    湾曲状部分
９ｂ    湾曲状部分の外周壁
１１    空気導入用間隙
１１ｖ  最狭部分
１３    送風手段
Ｗ      風箱
【図１】
2005273961.tif 000003
【図２】
2005273961.tif 000004
【図３】
2005273961.tif 000005
【図４】
2005273961.tif 000006
【図５】
2005273961.tif 000007
【図６】
2005273961.tif 000008
【図７】
2005273961.tif 000009
【図８】
2005273961.tif 000010
【図９】
2005273961.tif 000011
【図１０】
2005273961.tif 000012
【図１１】
2005273961.tif 000013